(57)【特許請求の範囲】
【請求項１】
販売機本体と、同販売機本体に枢支部を介して開閉自在に取り付けた開閉扉体とを具備する自動販売機に取り付けて、開閉扉体の開放を防止する自動販売機用開放防止具であって、
販売機本体の一側壁に取り付ける被施錠部と、販売機本体の他側壁に取り付ける施錠部とを具備し、同施錠部に被施錠部を施錠・開錠自在に連結して、開閉扉体の前方と左右側方とを囲繞可能とし、
被施錠部は、販売機本体の側壁でかつ枢支部を介して開閉扉体を取り付けている側壁に、基端部を前後方向の軸線廻りに回動自在かつ前後摺動自在に枢支して、前方へ摺動させて中途部を開閉扉体の前方位置にて略水平に横架した使用位置と、中途部を開閉扉体の外側方位置にて略垂直に垂下した不使用位置との間で位置変更自在となすと共に、不使用位置では、後方へ摺動させて開閉扉体の側方に収納状態となして、開放させた開閉扉体が干渉しないようにしたことを特徴とする自動販売機用開放防止具。
【請求項２】
被施錠部は、開閉扉体の前方に配置する中途部を左右幅方向に伸縮自在となしたことを特徴とする請求項１記載の自動販売機用開放防止具。
【請求項３】
被施錠部の中途部には、収縮状態を保持するための収縮状態保持体を設けて、同収縮状態保持体により中途部を収縮状態に保持させて不使用位置に位置変更するようにしたことを特徴とする請求項２記載の自動販売機用開放防止具。
【発明の詳細な説明】
【０００１】
【発明の属する技術分野】
本発明は、盗難を防止するための自動販売機用開放防止具に関する。
【０００２】
【従来の技術】
従来、自動販売機の一形態として、前面開口の販売機本体と、同販売機本体の前面開口部を開閉する開閉扉体とを具備したものがあり、同開閉扉体は、一側縁部を販売機本体の側縁部に枢支すると共に、他側縁部に施錠部を設けて、同施錠部を販売機本体の他側部に設けた被施錠部に連結して施錠可能としている。
【０００３】
そして、施錠部は、専用の鍵でなければ開錠できないようにしている。
【０００４】
【発明が解決しようとする課題】
ところが、上記した自動販売機では、施錠部の開錠は専用の鍵がなければ行なえないが、開閉扉体の枢支部を壊して、同開閉扉体を枢支部側より開放することにより、販売機本体内の金品を盗むという窃盗事件が発生している。
【０００５】
【課題を解決するための手段】
そこで、本発明では、販売機本体と、同販売機本体に枢支部を介して開閉自在に取り付けた開閉扉体とを具備する自動販売機に取り付けて、開閉扉体の開放を防止する自動販売機用開放防止具であって、販売機本体の一側壁に取り付ける被施錠部と、販売機本体の他側壁に取り付ける施錠部とを具備し、同施錠部に被施錠部を施錠・開錠自在に連結して、開閉扉体の前方と左右側方とを囲繞可能とし、被施錠部は、販売機本体の側壁でかつ枢支部を介して開閉扉体を取り付けている側壁に、基端部を前後方向の軸線廻りに回動自在かつ前後摺動自在に枢支して、前方へ摺動させて中途部を開閉扉体の前方位置にて略水平に横架した使用位置と、中途部を開閉扉体の外側方位置にて略垂直に垂下した不使用位置との間で位置変更自在となすと共に、不使用位置では、後方へ摺動させて開閉扉体の側方に収納状態となして、開放させた開閉扉体が干渉しないようにしたことを特徴とする自動販売機用開放防止具を提供するものである。
【０００６】
また、本発明は、次に構成にも特徴を有する。
【０００７】
（１）被施錠部は、開閉扉体の前方に配置する中途部を左右幅方向に伸縮自在となしたこと。
【０００８】
（２）被施錠部の中途部には、収縮状態を保持するための収縮状態保持体を設けて、同収縮状態保持体により中途部を収縮状態に保持させて不使用位置に位置変更するようにしたこと。
【０００９】
【発明の実施の形態】
以下に、本発明の実施の形態について説明する。
【００１０】
すなわち、本発明に係る自動販売機用開放防止具は、販売機本体と、同販売機本体に開閉自在に取り付けた開閉扉体とを具備する自動販売機に取り付けて、開閉扉体の開放を防止するものである。
【００１１】
このようにして、開閉扉体の枢支部を壊したとしても、自動販売機用開閉防止具により開閉扉体を開放することができないようにしている。
【００１２】
従って、販売機本体内の金品を盗みとることができず、窃盗事件の発生を防止することができる。
【００１３】
そして、かかる自動販売機用開放防止具は、販売機本体の一側壁に取り付ける被施錠部と、販売機本体の他側壁に取り付ける施錠部とを具備し、同施錠部に被施錠部を施錠・開錠自在に連結して、開閉扉体の前方と左右側方とを囲繞可能とし、施錠部又は被施錠部の内のいずれか一方は、販売機本体の側壁に基端部を前後方向の軸線廻りに回動自在に枢支して、中途部を開閉扉体の前方位置にて略水平に横架した使用位置と、中途部を開閉扉体の外側方位置にて略垂直に垂下した不使用位置との間で位置変更自在となしている。
【００１４】
このようにして、自動販売機の管理人が、同自動販売機の開閉扉体を開放する際には、自動販売機用開放防止具の施錠部を開錠して、同施錠部と被施錠部とを連結解除状態となすと共に、施錠部又は被施錠部の内のいずれか一方の中途部、すなわち、略水平に横架した使用位置にある中途部を、開閉扉体の外側方位置にて略垂直に垂下した不使用位置に位置変更することにより、楽に開閉扉体を開放することができる。
【００１５】
従って、自動販売機の管理人は、開閉扉体を開放した状態にて販売機本体に貯まったお金を集金したり、販売機本体に商品を収容したりする作業を円滑に行うことができる。
【００１６】
しかも、施錠部又は被施錠部の内のいずれか一方は、開閉扉体の前方に配置する中途部を左右幅方向に伸縮自在となしている。
【００１７】
このようにして、メーカーによって自動販売機の左右幅が異なる場合にも、自動販売機用開放防止具の中途部を適宜伸縮調整することにより、全ての自動販売機に装備することができるようにしている。
【００１８】
さらには、施錠部又は被施錠部の内のいずれか一方の中途部には、収縮状態を保持するための収縮状態保持体を設けて、同収縮状態保持体により中途部を収縮状態に保持させて不使用位置に位置変更するようにしている。
【００１９】
このようにして、自動販売機用開放防止具の中途部を不使用位置に位置変更する際には、一旦、中途部を収縮状態保持体により収縮状態に保持させることができるため、略垂直に垂下させた不使用位置において、先端部が地面等に干渉して破損等されるという不具合の発生を防止することができる。
【００２０】
【実施例】
以下に、本発明の実施例を図面を参照しながら説明する。
【００２１】
〔第１実施例〕
図１及び図２に示すＡは、本発明に係る第１実施例としての自動販売機用開放防止具であり、同自動販売機用開放防止具Ａは、販売機本体１と、同販売機本体１に枢支部３を介して開閉自在に取り付けた開閉扉体２とを具備する自動販売機Ｂに取り付けて、開閉扉体２の開放を防止するようにしている。
【００２２】
しかも、自動販売機用開放防止具Ａは、開閉扉体２に設けた開閉用鍵穴４を前方より被覆して、同開閉用鍵穴４に鍵や工具等を差し込むことができないようにして、この点からも、開閉扉体２の開放防止を図っている。
【００２３】
自動販売機用開放防止具Ａは、図３及び図４にも示すように、販売機本体１の右側壁1aに取り付ける被施錠部10と、販売機本体１の左側壁1bに基端部を取り付けると共に、開閉扉体２の前方に中途部を配置して、前記被施錠部10の先端部を施錠・開錠自在に連結する施錠部11とを具備している。
【００２４】
そして、被施錠部10は、販売機本体１の右側壁1aに前後方向に軸線を向けた筒状の支持体12を固設し、同支持体12に前後方向に伸延する棒状の被施錠部本体13を前後摺動自在に挿通している。14は前後摺動操作片、27はストッパー片である。
【００２５】
また、施錠部11は、販売機本体１の左側壁1bに前後方向に軸線を向けた筒状の枢支体15を固設し、同枢支体15に前後方向に伸延する棒状の支持アーム16の中途部16aを前後方向の軸線廻りに回動自在かつ前後摺動自在に枢支すると共に、同支持アーム16の前端部16bを略直角に屈曲させ、同前端部16bに伸縮体17の左側端部を取り付け、同伸縮体17の右側端部に施錠部本体18を取り付けている。16cはストッパー片である。
【００２６】
ここで、支持アーム16の中途部16aは、枢支体15を介して販売機本体１の左側壁1bに前後方向の軸線廻りに回動自在に枢支して、伸縮体17を開閉扉体２の前方位置にて略水平に横架した使用位置と、伸縮体17を開閉扉体２の外側方位置にて略垂直に垂下した不使用位置との間で位置変更自在となしている。
【００２７】
このようにして、メーカーによって自動販売機Ｂの左右幅が異なる場合にも、伸縮体17の伸縮幅を大きく設定しておくことによって、全ての自動販売機Ｂに装備することができるようにしている。
【００２８】
そして、伸縮体17は、左右方向に伸延させて細幅板状となした前後一対の伸縮片17a,17bの前後面を重合状態となし、前方の伸縮片17aの基端部に設けたリング状の摺動ガイド片17c中に、後方の伸縮片17bを左右方向に摺動自在に挿通すると共に、後方の伸縮片17bの先端部に設けたリング状の摺動ガイド片17d中に、前方の伸縮片17aを左右方向に摺動自在に挿通して、両伸縮片17a,17bを相互に左右方向に摺動させることにより、伸縮体17を伸縮させることができるようにしている。
【００２９】
しかも、摺動ガイド片17dの前壁に前後方向に軸線を向けたトルクバネ支持ピン22を突設し、同トルクバネ支持ピン22にトルクバネ23を支持させ、同トルクバネ23の一端23aを後方の伸縮片17bの下端に係止する一方、同トルクバネ23の他端23bを前方の伸縮片17aの下端に係止している。
【００３０】
また、前方に配置した伸縮片17aの先端部の下端には係止用凹部24を形成して、伸縮体17を最短に収縮させた状態にて、上記係止用凹部24にトルクバネ23の他端23bが係止されて、伸縮体17を最短収縮状体に固定・保持させることができるようにしている。
【００３１】
このようにして、トルクバネ23の他端23bと係止用凹部24とにより収縮状態保持体26を構成している。
【００３２】
なお、トルクバネ23の他端23bを手で係止用凹部24から係止解除することにより、伸縮体17の伸縮を自在となすことができる。
【００３３】
施錠部本体18は、上記した前方の伸縮片17aの先端部に取り付けており、同施錠部本体18に被施錠部本体挿入凹部18aを形成し、同被施錠部本体挿入凹部18aに前記した被施錠部本体13の先端部を挿入し、同状態にて、施錠部本体18の下面部に設けた鍵穴25に鍵（図示せず）を挿入して回動させることにより、被施錠部本体13の施錠・開錠が行えるようにしている。
【００３４】
次に、上記のように構成した自動販売機用開放防止具Ａを装備した自動販売機Ｂの管理人が、同自動販売機Ｂの開閉扉体２を開放する際の手順について説明する。
【００３５】
（１）自動販売機用開放防止具Ａの施錠部本体18に設けた鍵穴に鍵を挿入すると共に回動操作して、同施錠部本体18を開錠する。
【００３６】
（２）同状態にて、被施錠部本体13を前後摺動操作片14を介して後方へ摺動させることにより、施錠部本体18の被施錠部本体挿入凹部18aより引き出す。
【００３７】
（３）伸縮体17の前後伸縮片17a,17bを最短状態まで伸縮させて、係止用凹部24にトルクバネ23の他端23bを係止させることにより、同伸縮体17を最短収縮状態に保持する。
【００３８】
このようにして、自動販売機用開放防止具Ａを不使用位置に位置変更する際には、一旦、伸縮体17を収縮状態保持体26により最短収縮状態に保持させることができるため、略垂直に垂下させた不使用位置において、先端部となる施錠部11が地面等に干渉して破損等されるという不具合の発生を防止することができる。
【００３９】
（４）伸縮体17を支持アーム16の中途部16aを中心に下方へ回動させて、開閉扉体２の外側方位置にて略垂直に垂下した不使用位置に位置変更する。
【００４０】
（５）施錠部11を後方へ摺動させて、開閉扉体２の左側方へ収納する。
【００４１】
このように、施錠部11を開閉扉体２の左側方へ収納状態となすことにより、開閉扉体２を施錠部11に干渉させることなく楽に開放することができる。
【００４２】
従って、自動販売機Ｂの管理人は、開閉扉体２を開放した状態にて販売機本体１に貯まったお金を集金したり、販売機本体１に商品を収容したりする作業を円滑に行うことができる。
【００４３】
また、自動販売機用開放防止具Ａにより開閉扉体２の開放を防止する場合には、上記した手順と反対の手順をたどればよい。
【００４４】
この際、自動販売機用開放防止具Ａは、開閉扉体２に設けた開閉用鍵穴４を前方より被覆して、同開閉用鍵穴４に鍵や工具等を差し込むことができないようにすることにより、開閉扉体２の開放防止効果をより一層高めることができる。
【００４５】
なお、本実施例では、販売機本体１の右側壁1aに被施錠部10を取り付ける一方、販売機本体１の左側壁1bに施錠部11を取り付けているが、伸縮体17に被施錠部本体13を取り付ける一方、販売機本体１の右側壁1aに施錠部本体18を取り付けることもできる。以下に、かかる構成を第２実施例として詳細に説明する。
【００４６】
〔第２実施例〕
図５は、本発明に係る第２実施例としての自動販売機用開放防止具Ａの使用状態の正面図、図６は、同自動販売機用開放防止具Ａの使用状態の平面図である。
【００４７】
第２実施例としての自動販売機用開放防止具Ａは、図５及び図６に示すように、販売機本体１の右側壁1aに取り付ける施錠部11と、販売機本体１の左側壁1bに基端部を取り付けると共に、開閉扉体２の前方に中途部を配置して、前記施錠部11に先端部を施錠・開錠自在に連結する被施錠部10とを具備している。
【００４８】
そして、図６〜図８に示すように、被施錠部10は、販売機本体１の左側壁1bに前後方向に中空箱型の枢支体15を固設し、同枢支体15に前後方向に伸延する棒状の支持アーム16の中途部16aを前後方向の軸線廻りに回動自在かつ前後摺動自在に挿通し、同支持アーム16の前端部に伸縮体17の基端部を着脱自在に連結し、同伸縮体17の先端部に被施錠部本体13を取り付けている。16cはストッパー片である。
【００４９】
ここで、支持アーム16の前端部16bの周面に係合片29を半径方向に突設する一方、伸縮体17の左側端部に中空箱型に形成した連結ケース30を設け、同連結ケース30の後壁30aに支持アーム16の前端部16bを挿入する挿入孔31を形成すると共に、同挿入孔31の側縁部に係合片挿入用切欠部32を形成している。
【００５０】
このようにして、支持アーム16の係合片29を連結ケース30の係合片挿入用切欠部32に符合させた状態にて、同支持アーム16を前方へ摺動させて挿入孔31中に挿入すると共に、同支持アーム16を前後方向の軸線廻りに90度回動させて係合片29を係合片挿入用切欠部32と非符合状態となすことにより、同係合片29を連結ケース30の後壁3 0aに係合させて連結することができるようにしている。
【００５１】
また、反対の手順をたどることにより、支持アーム16と連結ケース30を介した伸縮体17との連結を解除することができるようにしている。
【００５２】
そして、伸縮体17は、図５〜図８に示すように、支持アーム16に連結ケース30を介して左側端部を枢支・連結して、同伸縮体17を開閉扉体２の前方位置にて略水平に横架した使用位置と、同伸縮体17を開閉扉体２の外側方位置にて略垂直に垂下した不使用位置との間で回動させて位置変更することができるようにしている。
【００５３】
しかも、不使用位置に位置変更した伸縮体17は、図８に示すように、支持アーム16を介して後方へ摺動させて、開閉扉体２の側方へ収納した状態となすことができるようにしており、このように伸縮体17を収納状態となすことにより、開閉扉体２を開放させた際に、同開閉扉体２が伸縮体17に干渉しないようにしている。
【００５４】
また、伸縮体17は、左右方向に伸延する筒状の伸縮片17a中に、左右方向に伸延する棒状の伸縮片17bを軸線方向に摺動自在に挿通して、同伸縮体17を伸縮自在となしいる。
【００５５】
このようにして、メーカーによって自動販売機Ｂの左右幅が異なる場合にも、伸縮体17の伸縮幅を大きく設定しておくことによって、全ての自動販売機Ｂに装備することができるようにしている。
【００５６】
しかも、筒状の伸縮片17aの右側端部に係止溝33を形成する一方、棒状の伸縮片17bの右側部に係止片34を形成している。
【００５７】
また、棒状の伸縮片17bを筒状の伸縮片17a中に収納して収縮した状態にて回動させると共に摺動させることにより、係止溝33に係止片34を係止して、棒状の伸縮片17bを最短収縮状態に保持することができるようにしている。39は、筒状の伸縮片17a内に収容して、棒状の伸縮片17 bを伸長方向へ押圧する押圧スプリングである。
【００５８】
このようにして、係止溝33と係止片34とにより収縮状態保持体26を構成しており、押圧スプリング39により係止片34が係止溝33に係止された状態を保持することができるようにしている。。
【００５９】
なお、係止片34を係止溝33より係止解除することにより、伸縮体17の伸縮を自在となすことができる。
【００６０】
被施錠部本体13は、図５〜図７に示すように、前記した棒状の伸縮片17bの右側端部に連設しており、同被施錠部本体13は、前記した連結ケース30と左右対称の中空箱型に形成して、後壁30aに後述する施錠部11の施錠・支持アーム35の先端部を挿入する挿入孔36を形成すると共に、同挿入孔36の側縁部に係合片挿入用切欠部37を形成している。
【００６１】
また、施錠部11は、図５〜図７販売機本体１の右側壁1aに施錠部本体18を取り付け、同施錠部本体18に前後方向に伸延する棒状の施錠・支持アーム35の中途部35aを前後方向の軸線廻りに回動自在かつ前後摺動自在に挿通すると共に、同施錠部本体18の正面下部に鍵穴25を設けて、同鍵穴25に鍵（図示せず）を挿入して回動させることにより、上記施錠・支持アーム35の中途部の施錠・開錠が行えるようにしている。
【００６２】
そして、施錠・支持アーム35の前端部35bの周面に係合片38を半径方向に突設している。14は前後摺動操作片である。
【００６３】
このようにして、施錠部本体18を開錠状態にして、施錠・支持アーム35の係合片38を被施錠部本体13の係合片挿入用切欠部37に符合させた状態にて、同施錠・支持アーム35を前後摺動操作片14を介して前方へ摺動させて挿入孔36中に挿入すると共に、同施錠・支持アーム35を前後方向の軸線廻りに90度回動させて係合片38を係合片挿入用切欠部37と非符合状態となすことにより、同係合片38を被施錠部本体13の後壁13aに係合させて連結し、同状態にて施錠部本体18を施錠するようにしている。
【００６４】
また、反対の手順をたどることにより、施錠・支持アーム35と被施錠部本体13を介した伸縮体17との連結を解除することができる。
【００６５】
次に、上記のように構成した自動販売機用開放防止具Ａを装備した自動販売機Ｂの管理人が、同自動販売機Ｂの開閉扉体２を開放する際の手順について説明する。
【００６６】
（１）自動販売機用開放防止具Ａの施錠部本体18に設けた鍵穴25に鍵を挿入すると共に回動操作して、同施錠部本体18を開錠する。
【００６７】
（２）同状態にて、施錠・支持アーム35を前後摺動操作片14を介して前後方向の軸線廻りに90度回動させて、係合片38を係合片挿入用切欠部37と符合状態となして、同係合片38と被施錠部本体13の後壁13aとの係合を解除する。
【００６８】
（３）施錠・支持アーム35を後方へ摺動させて挿入孔36中より引き出す。
【００６９】
（４）伸縮体17の棒状の伸縮片17bを筒状の伸縮片17a中に押圧スプリング39の押圧付勢力に抗して摺動させて収縮状態となし、同状態にて棒状の伸縮片17bを回動させると共に摺動させることにより、係止溝33に係止片34を係止して、棒状の伸縮片17bを最短収縮状態に保持する。
【００７０】
このようにして、自動販売機用開放防止具Ａを不使用位置に位置変更する際には、一旦、伸縮体17を収縮状態保持体26により最短収縮状態に保持させることができるため、略垂直に垂下させた不使用位置において、先端部となる被施錠部本体13が地面等に干渉して破損等されるという不具合の発生を防止することができる。
【００７１】
（５）伸縮体17を支持アーム16の軸線を中心に下方へ回動させて、開閉扉体２の外側方位置にて略垂直に垂下した不使用位置に位置変更する。
【００７２】
（６）被施錠部10を後方へ摺動させて、開閉扉体２の左側方へ収納する。
【００７３】
このように、被施錠部10を開閉扉体２の左側方へ収納状態となすことにより、開閉扉体２を被施錠部10に干渉させることなく楽に開放することができる。
【００７４】
従って、自動販売機Ｂの管理人は、開閉扉体２を開放した状態にて販売機本体１に貯まったお金を集金したり、販売機本体１に商品を収容したりする作業を円滑に行うことができる。
【００７５】
また、自動販売機用開放防止具Ａにより開閉扉体２の開放を防止する場合には、上記した手順と反対の手順をたどればよい。
【００７６】
この際、自動販売機用開放防止具Ａは、開閉扉体２に設けた開閉用鍵穴４を前方より被覆して、同開閉用鍵穴４に鍵や工具等を差し込むことができないようにすることにより、開閉扉体２の開放防止効果をより一層高めることができる。
【００７７】
【発明の効果】
本発明によれば、次のような効果が得られる。
【００７８】
（１）請求項１記載の本発明では、販売機本体と、同販売機本体に枢支部を介して開閉自在に取り付けた開閉扉体とを具備する自動販売機に取り付けて、開閉扉体の開放を防止するようにしている。
【００７９】
このようにして、開閉扉体の枢支部を壊したとしても、自動販売機用開閉防止具により開閉扉体を開放することができないようにしている。
【００８０】
従って、販売機本体内の金品を盗みとることができず、窃盗事件の発生を防止することができる。
【００８１】
そして、かかる自動販売機用開放防止具は、販売機本体の一側壁に取り付ける被施錠部と、販売機本体の他側壁に取り付ける施錠部とを具備し、同施錠部に被施錠部を施錠・開錠自在に連結して、開閉扉体の前方と左右側方とを囲繞可能とし、被施錠部は、販売機本体の側壁でかつ枢支部を介して開閉扉体を取り付けている側壁に、基端部を前後方向の軸線廻りに回動自在かつ前後摺動自在に枢支して、前方へ摺動させて中途部を開閉扉体の前方位置にて略水平に横架した使用位置と、中途部を開閉扉体の外側方位置にて略垂直に垂下した不使用位置との間で位置変更自在となすと共に、不使用位置では、後方へ摺動させて開閉扉体の側方に収納状態となして、開放させた開閉扉体が干渉しないようにしている。
【００８２】
このようにして、自動販売機の管理人が、同自動販売機の開閉扉体を開放する際には、自動販売機用開放防止具の施錠部を開錠して、同施錠部と被施錠部とを連結解除状態となすと共に、被施錠部の中途部、すなわち、略水平に横架した使用位置にある中途部を、開閉扉体の外側方位置にて略垂直に垂下した不使用位置に位置変更し、さらに、不使用位置では、後方へ摺動させて開閉扉体の側方に収納状態となして、開放させた開閉扉体が干渉しないようにすることにより、楽に開閉扉体を開放することができる。
【００８３】
従って、自動販売機の管理人は、開閉扉体を開放した状態にて販売機本体に貯まったお金を集金したり、販売機本体に商品を収容したりする作業を円滑に行うことができる。
【００８４】
（２）請求項２記載の本発明では、被施錠部は、開閉扉体の前方に配置する中途部を左右幅方向に伸縮自在となしている。
【００８５】
このようにして、メーカーによって自動販売機の左右幅が異なる場合にも、自動販売機用開放防止具の中途部を適宜伸縮調整することにより、全ての自動販売機に装備することができるようにしている。
【００８６】
（３）請求項３記載の本発明では、被施錠部の中途部には、収縮状態を保持するための収縮状態保持体を設けて、同収縮状態保持体により中途部を収縮状態に保持させて不使用位置に位置変更するようにしている。
【００８７】
このようにして、自動販売機用開放防止具の中途部を不使用位置に位置変更する際には、一旦、中途部を収縮状態保持体により収縮状態に保持させることができるため、略垂直に垂下させた不使用位置において、先端部が地面等に干渉して破損等されるという不具合の発生を防止することができる。
【図面の簡単な説明】
【図１】本発明に係る第１実施例としての自動販売機用開放防止具の使用状態正面説明図。
【図２】同自動販売機用開放防止具の使用状態平面説明図。
【図３】同自動販売機用開放防止具の使用状態拡大正面説明図。
【図４】同自動販売機用開放防止具の使用状態拡大平面説明図。
【図５】本発明に係る第２実施例としての自動販売機用開放防止具の使用状態正面説明図。
【図６】同自動販売機用開放防止具の使用状態平面説明図。
【図７】同自動販売機用開放防止具の使用状態正面説明図。
【図８】同自動販売機用開放防止具の不使用状態側面説明図。
【符号の説明】
Ａ  自動販売機用開放防止具
Ｂ  自動販売機
１  販売機本体
２  開閉扉体
３  枢支部
10  被施錠部
11  施錠部
【図１】
0003778439.tif 000002
【図２】
0003778439.tif 000003
【図３】
0003778439.tif 000004
【図４】
0003778439.tif 000005
【図５】
0003778439.tif 000006
【図６】
0003778439.tif 000007
【図７】
0003778439.tif 000008
【図８】
0003778439.tif 000009